(57)【要約】【課題】無線基地局ｅＮＢの意図に反して、移動局ＵＥが「同期外れ状態」に遷移する確率を削減することによって、ＤＬ-ＳＣＨを介する下りリンク情報の再送を削減し、下りリンクにおける無線リソースが無駄に使用されてしまうという事態を防ぐ。【解決手段】本発明に係る同期確立方法は、無線基地局ｅＮＢが、移動局ＵＥに対してＴＡを送信する工程と、無線基地局ｅＮＢが、第１所定期間内に、肯定的な受信結果を示す第１送達確認情報（ＡＣＫ）を受信できなかった場合には、移動局ＵＥに対して、かかるＴＡを再送する工程と、無線基地局ｅＮＢが、第２所定期間内に、肯定的な受信結果を示す第２送達確認情報（ＴＡ-ＡＣＫ）を受信できなかった場合には、移動局ＵＥに対して、かかるＴＡを再送する工程とを有する。【選択図】図４
2009164842.tif 000002
【特許請求の範囲】
【請求項１】
移動局が、無線基地局から送信されるタイミング調整コマンドに基づいて、該無線基地局との間で、上りリンクにおける同期を確立する同期確立方法であって、
前記無線基地局が、前記移動局に対して、前記タイミング調整コマンドを送信する工程と、
前記移動局が、前記無線基地局に対して、前記タイミング調整コマンドが送信された物理チャネルについての受信結果を示す第１送達確認情報、及び、該タイミング調整コマンドについての受信結果を示す第２送達確認情報を送信する工程と、
前記無線基地局が、第１所定期間内に、肯定的な受信結果を示す前記第１送達確認情報を受信できなかった場合には、前記移動局に対して、前記タイミング調整コマンドを再送する工程と、
前記無線基地局が、第２所定期間内に、肯定的な受信結果を示す前記第２送達確認情報を受信できなかった場合には、前記移動局に対して、前記タイミング調整コマンドを再送する工程とを有することを特徴とする同期確立方法。
【請求項２】
前記移動局が、前記上りリンクにおける同期が確立されている第１状態において、第３所定期間内に、前記タイミング調整コマンドを受信しなかった場合、該上りリンクにおける同期が確立されていない第２状態に遷移する工程と、
前記移動局が、前記第２状態において、前記無線基地局によって送信された前記タイミング調整コマンドに基づいて、前記上りリンクにおける同期を確立することによって、前記第１状態に遷移する工程とを有することを特徴とする請求項１に記載の同期確立方法。
【請求項３】
前記移動局は、前記タイミング調整コマンドを受信する度に、前記所定期間を計測するための上り同期タイマを再起動し、
前記移動局は、前記上り同期タイマが満了した場合に、前記第２状態に遷移することを特徴とする請求項１に記載の同期確立方法。
【請求項４】
移動局に対してタイミング調整コマンドを送信することによって、該移動局との間で、上りリンクにおける同期を確立するように構成されている無線基地局であって、
前記移動局によって上りリンクを介して送信された所定信号に対する測定結果に基づいて、前記タイミング調整コマンドを生成し、前記移動局に対して、物理チャネルを介して、該タイミング調整コマンドを送信するように構成されているタイミング調整コマンド送信部を具備し、
前記タイミング調整コマンド送信部は、第１所定期間内に、前記移動局から、前記物理チャネルについての肯定的な受信結果を示す第１送達確認情報を受信できなかった場合には、該移動局に対して、該タイミング調整コマンドを再送するように構成されており、
前記タイミング調整コマンド送信部は、第２所定期間内に、前記移動局から、前記タイミング調整コマンドについての肯定的な受信結果を示す第２送達確認情報を受信できなかった場合には、該移動局に対して、該タイミング調整コマンドを再送するように構成されていることを特徴とする無線基地局。
【請求項５】
無線基地局から送信されるタイミング調整コマンドに基づいて、該無線基地局との間で、上りリンクにおける同期を確立する移動局であって、
前記無線基地局から、前記タイミング調整コマンドを受信するタイミング調整コマンド受信部と、
前記無線基地局に対して、該タイミング調整コマンドが送信された物理チャネルについての受信結果を示す第１送達確認情報を送信する第１送達確認情報送信部と、
前記タイミング調整コマンドについての受信結果を示す第２送達確認情報を送信する第２送達確認情報送信部とを具備し、
前記無線基地局から、前記タイミング調整コマンドを受信した場合に、該無線基地局に対して、前記第１送達確認情報と前記第２送達確認情報とを送信するように構成されていることを特徴とする移動局。
【発明の詳細な説明】
【技術分野】
【０００１】
本発明は、移動局が無線基地局から送信されるタイミング調整コマンドに基づいて該無線基地局との間で上りリンクにおける同期を確立する同期確立方法、無線基地局及び移動局に関する。
【背景技術】
【０００２】
３ＧＰＰによって規定されている「ＬＴＥ（Ｌｏｎｇ  Ｔｅｒｍ  Ｅｖｏｌｕｔｉｏｎ）方式では、移動局ＵＥが、無線基地局ｅＮＢから送信される「ＴＡ（Ｔｉｍｉｎｇ  Ａｄｖａｎｃｅ：タイミング調整コマンド）」に基づいて、当該無線基地局ｅＮＢとの間で、上りリンクにおける同期を確立するように構成されている。
【０００３】
ここで、ＴＡは、ＭＡＣ（Ｍｅｄｉａ  Ａｃｃｅｓｓ  Ｃｏｎｔｒｏｌ）層における制御情報である「ＭＡＣ-Ｃｏｎｔｒｏｌ-Ｅｌｅｍｅｎｔ」によって送信されるものである。
【０００４】
以下、図５を参照して、従来のＬＴＥ方式において、移動局ＵＥが、無線基地局ｅＮＢとの間で、上りリンクにおける同期を確立する動作について説明する。
【０００５】
図５に示すように、移動局ＵＥは、上りリンクにおける同期が確立されている「同期確立状態」である場合（ステップＳ５１）、ステップＳ５２において、無線基地局ｅＮＢによって当該移動局ＵＥ宛てに送信されるＴＡを受信したか否かについて監視する。
【０００６】
ここで、無線基地局ｅＮＢは、ＴＡをＤＬ-ＳＣＨ（Ｄｏｗｎｌｉｎｋ-Ｓｈａｒｅｄ  Ｃｈａｎｎｅｌ：下りリンク用共有チャネル）を介して移動局ＵＥに送信する。
【０００７】
ＤＬ-ＳＣＨには、ＨＡＲＱ再送制御が適用されており、移動局ＵＥは、当該移動局ＵＥ宛てのＤＬ-ＳＣＨを介した情報を受信した場合、当該ＤＬ-ＳＣＨがマッピングされているＰＤＳＣＨ（Ｐｈｙｓｉｃａｌ  Ｄｏｗｎｌｉｎｋ  Ｓｈａｒｅｄ  Ｃｈａｎｎｅｌ）に対するＨＡＲＱの送達確認情報（Ａｃｋ/Ｎａｃｋ）を無線基地局ｅＮＢに対して送信する。
【０００８】
ここで、移動局ＵＥは、ＰＤＳＣＨ/ＤＬ-ＳＣＨを介して送信された特定情報の受信/復号に成功していれば、ＨＡＲＱの送達確認情報としてＡｃｋを送信し、ＰＤＳＣＨ/ＤＬ-ＳＣＨを介して送信された特定情報の受信/復号に失敗していれば、ＨＡＲＱの送達確認情報としてＮａｃｋを送信する。
【０００９】
無線基地局ｅＮＢは、特定情報を送信したＰＤＳＣＨに対して、移動局ＵＥからのＨＡＲＱの送達確認情報としてＮａｃｋを検出した場合には、ＰＤＳＣＨを介して送信した特定情報を当該移動局に向けて再送するが、移動局ＵＥからのＨＡＲＱの送達確認情報としてＮａｃｋを検出した場合には、ＰＤＳＣＨを介して送信した特定情報を当該移動局に向けて再送しない。
【００１０】
このように、ＤＬ-ＳＣＨを介したＴＡの送信には、ＨＡＲＱ再送制御が適用されるため、ＴＡは、高い信頼性をもって伝送されることができる。
【００１１】
ただし、ＨＡＲＱの送達確認情報は、その符号化の性質上、移動局ＵＥが、Ｎａｃｋ（若しくはＡｃｋ）を送信しても、無線基地局ｅＮＢが、Ａｃｋ（若しくはＮａｃｋ）を誤検出してしまう場合がある。
【００１２】
よって、移動局ＵＥが、ＴＡの受信/復号に成功していなくても、無線基地局ｅＮＢが、Ａｃｋを誤検出し、移動局ＵＥが、ＴＡの受信/復号に成功していると誤って判定してしまうことによって、無線基地局ｅＮＢが、当該ＴＡがマッピングされているＰＤＳＣＨ/ＤＬ-ＳＣＨを介して、当該ＴＡを移動局ＵＥに再送しないケースが生じる。
【００１３】
移動局ＵＥは、無線基地局ｅＮＢによって送信されたＴＡを受信した場合、ステップＳ５３において、上りリンクにおける送信タイミングを調整することによって、無線基地局ｅＮＢとの間で確立されている上りリンクにおける同期を維持すると共に、上り同期タイマを再起動する。
【００１４】
一方、移動局ＵＥは、無線基地局ｅＮＢによって送信されたＴＡを受信していない場合、ステップＳ５４において、上り同期タイマが満了しているか否かについて判定する。
【００１５】
上り同期タイマが満了していないと判定された場合には、本動作は、ステップＳ５２に戻り、上り同期タイマが満了していると判定された場合には、本動作は、ステップＳ５５に進み、移動局ＵＥは、上りリンクにおける同期が確立されていない「上り同期外れ状態」に遷移する。
【００１６】
ここで、無線基地局ｅＮＢが、ＴＡがマッピングされたＰＤＳＣＨ/ＤＬ-ＳＣＨに対するＨＡＲＱの送達確認情報として、Ａｃｋを誤検出してしまった場合には、無線基地局ｅＮＢの意図に反して、当該移動局ＵＥが、上り同期外れ状態に遷移してしまう可能性があることに留意する。
【００１７】
上り同期外れ状態である移動局ＵＥは、ＲＡＣＨ（Ｒａｎｄｏｍ  Ａｃｃｅｓｓ  Ｃｈａｎｎｅｌ：ランダムアクセスチャネル）以外での上りリンクにおける送信を行うことができない。ＲＡＣＨ以外での上りリンク送信には、ＵＬ-ＳＣＨ（Ｕｐｌｉｎｋ-Ｓｈａｒｅｄ  Ｃｈａｎｎｅｌ：上りリンク用共有チャネル）やＰＵＣＣＨ（Ｐｈｙｓｉｃａｌ  Ｕｐｌｉｎｋ  Ｃｏｎｔｒｏｌ  Ｃｈａｎｎｅｌ）が含まれる。
【００１８】
ここで、ＤＬ-ＳＣＨ（Ｄｏｗｎｌｉｎｋ-Ｓｈａｒｅｄ  Ｃｈａｎｎｅｌ：下りリンク用共有チャネル）に対するＨＡＲＱの送達確認情報（Ａｃｋ/Ｎａｃｋ）はＰＵＣＣＨにて送信されるように構成されている。
【００１９】
上り同期外れ状態である移動局ＵＥは、ステップＳ５６において、無線基地局ｅＮＢに対して送信すべき上りユーザデータが発生したか否かについて、及び、無線基地局ｅＮＢによって当該移動局ＵＥ宛てに送信される「ＲＡＣＨ送信要求」を受信したか否かについて判定する。
【００２０】
無線基地局ｅＮＢに対して送信すべき上りユーザデータが発生していないと判定された場合で、かつ、無線基地局ｅＮＢによって送信されたＲＡＣＨ送信要求を受信していないと判定された場合、本動作は、ステップＳ５６を繰り返し、無線基地局ｅＮＢに対して送信すべき上りユーザデータが発生したと判定された場合、或いは、無線基地局ｅＮＢによって送信されたＲＡＣＨ送信要求を受信したと判定された場合、本動作は、ステップＳ５７に進む。
【００２１】
ステップＳ５７において、移動局ＵＥは、ＲＡＣＨを介して所定情報を無線基地局ｅＮＢに対して送信する。
【００２２】
移動局ＵＥは、ステップＳ５８において、無線基地局ｅＮＢによって送信されたＴＡを受信すると、ステップＳ５９において、上りリンクにおける送信タイミングを調整して上り同期タイマを再起動し、ステップＳ５１において、「同期確立状態」に遷移する。ここで、無線基地局ｅＮＢは、ステップＳ５７において移動局ＵＥによってＲＡＣＨを介して送信された所定情報に対する測定結果に基づいて、ＴＡを生成して送信するように構成されている。
【非特許文献１】３ＧＰＰ  ＴＳ  ３６．３００  Ｖ８．２．０  （２００７−０９）
【非特許文献２】３ＧＰＰ  ＴＳ  ３６．３２１  Ｖ８．０．０  （２００７−１２）
【発明の開示】
【発明が解決しようとする課題】
【００２３】
しかしながら、従来のＬＴＥ方式では、移動局ＵＥは、上り同期外れ状態である場合には、無線基地局ｅＮＢに対して送信すべき上りユーザデータが発生するまで、若しくは、無線基地局ｅＮＢによって送信されたＲＡＣＨ送信要求を受信するまで、「同期確立状態」に遷移することができない。
【００２４】
したがって、移動局ＵＥは、上り同期外れ状態である場合には、ＤＬ-ＳＣＨを介して、当該移動局ＵＥ宛ての下りリンク情報（例えば、下りユーザデータ等）を受信した場合であっても（図６におけるステップＳ１０７）、当該ＤＬ-ＳＣＨがマッピングされているＰＤＳＣＨ（Ｐｈｙｓｉｃａｌ  Ｄｏｗｎｌｉｎｋ  Ｓｈａｒｅｄ  Ｃｈａｎｎｅｌ）に対する送達確認情報（ＡＣＫ/ＮＡＣＫ）を送信することができない（図６におけるステップＳ１０８）。
【００２５】
その結果、かかる下りリンク情報が、ＤＬ-ＳＣＨを介して再送されてしまい、下りリンクにおける無線リソースが無駄に使用されてしまうという問題点があった。
【００２６】
ここで、無線基地局ｅＮＢは、ＰＤＳＣＨに対するＡＣＫ（移動局ＵＥが復号に成功したことを通知する信号）を受信しなければ、移動局ＵＥ宛ての下りリンク情報を、ＤＬ-ＳＣＨを介して再送するように構成されている。
【００２７】
そこで、本発明は、上述の課題に鑑みてなされたものであり、無線基地局ｅＮＢの意図に反して、移動局ＵＥが「同期外れ状態」に遷移する確率を削減することによって、ＤＬ-ＳＣＨを介する下りリンク情報の再送を削減し、下りリンクにおける無線リソースが無駄に使用されてしまうという事態を防ぐことができる同期確立方法、無線基地局及び移動局を提供することを目的とする。
【課題を解決するための手段】
【００２８】
本発明の第１の特徴は、移動局が、無線基地局から送信されるタイミング調整コマンドに基づいて、該無線基地局との間で、上りリンクにおける同期を確立する同期確立方法であって、前記無線基地局が、前記移動局に対して、前記タイミング調整コマンドを送信する工程と、前記移動局が、前記無線基地局に対して、前記タイミング調整コマンドが送信された物理チャネルについての受信結果を示す第１送達確認情報、及び、該タイミング調整コマンドについての受信結果を示す第２送達確認情報を送信する工程と、前記無線基地局が、第１所定期間内に、肯定的な受信結果を示す前記第１送達確認情報を受信できなかった場合には、前記移動局に対して、前期タイミング調整コマンドを再送する工程と、前記無線基地局が、第２所定期間内に、肯定的な受信結果を示す前記第２送達確認情報を受信できなかった場合には、前記移動局に対して、前記タイミング調整コマンドを再送する工程とを有することを要旨とする。
【００２９】
本発明の第１の特徴において、前記移動局が、前記上りリンクにおける同期が確立されている第１状態において、第３所定期間内に、前記タイミング調整コマンドを受信しなかった場合、該上りリンクにおける同期が確立されていない第２状態に遷移する工程と、前記移動局が、前記第２状態において、前記無線基地局によって送信された前記タイミング調整コマンドに基づいて、前記上りリンクにおける同期を確立することによって、前記第１状態に遷移する工程とを有していてもよい。
【００３０】
本発明の第１の特徴において、前記移動局は、前記タイミング調整コマンドを受信する度に、前記所定期間を計測するための上り同期タイマを再起動し、前記移動局は、前記上り同期タイマが満了した場合に、前記第２状態に遷移してもよい。
【００３１】
本発明の第２の特徴は、移動局に対してタイミング調整コマンドを送信することによって、該移動局との間で、上りリンクにおける同期を確立するように構成されている無線基地局であって、前記移動局によって上りリンクを介して送信された所定信号に対する測定結果に基づいて、前記タイミング調整コマンドを生成し、前記移動局に対して、物理チャネルを介して、該タイミング調整コマンドを送信するように構成されているタイミング調整コマンド送信部を具備し、前記タイミング調整コマンド送信部は、第１所定期間内に、前記移動局から、前記物理チャネルについての肯定的な受信結果を示す第１送達確認情報を受信できなかった場合には、該移動局に対して、該タイミング調整コマンドを再送するように構成されており、前記タイミング調整コマンド送信部は、第２所定期間内に、前記タイミング調整コマンドについての肯定的な受信結果を示す第２送達確認情報を受信できなかった場合には、該移動局に対して、該タイミング調整コマンドを再送するように構成されていることを要旨とする。
【００３２】
本発明の第３の特徴は、無線基地局から送信されるタイミング調整コマンドに基づいて、該無線基地局との間で、上りリンクにおける同期を確立する移動局であって、前記無線基地局から、前記タイミング調整コマンドを受信するタイミング調整コマンド受信部と、前記無線基地局に対して、該タイミング調整コマンドが送信された物理チャネルについての受信結果を示す第１送達確認情報を送信する第１送達確認情報送信部と、前記タイミング調整コマンドについての受信結果を示す第２送達確認情報を送信する第２送達確認情報送信部とを具備し、前記無線基地局から、前記タイミング調整コマンドを受信した場合に、該無線基地局に対して、前記第１送達確認情報と前記第２送達確認情報とを送信するように構成されていることを要旨とする。
【発明の効果】
【００３３】
以上説明したように、本発明によれば、無線基地局ｅＮＢの意図に反して、移動局ＵＥが「同期外れ状態」に遷移する確率を削減することによって、ＤＬ-ＳＣＨを介する下りリンク情報の再送を削減し、下りリンクにおける無線リソースが無駄に使用されてしまうという事態を防ぐことができる同期確立方法、無線基地局及び移動局を提供することができる。
【発明を実施するための最良の形態】
【００３４】
（本発明の第１の実施形態に係る移動通信システムの構成）
図１乃至図３を参照して、本発明の第１の実施形態に係る移動通信システムの構成について説明する。
【００３５】
本実施形態に係る移動通信システムでは、図１に示すように、無線基地局ｅＮＢが、移動局ＵＥに対して、ＰＤＣＣＨ（Ｐｈｙｓｉｃａｌ  Ｄｏｗｎｌｉｎｋ  Ｃｏｎｔｒｏｌ  Ｃｈａｎｎｅｌ）や、ＰＤＳＣＨや、Ｐ-ＨＩＣＨ（Ｐｈｙｓｉｃａｌ  ＨＡＲＱ  Ｉｎｄｉｃａｔｏｒ  Ｃｈａｎｎｅｌ）等を送信するように構成されている。
【００３６】
また、本実施形態に係る移動通信システムでは、図１に示すように、移動局ＵＥが、無線基地局ｅＮＢに対して、ＰＵＳＣＨ（Ｐｈｙｓｉｃａｌ  Ｕｐｌｉｎｋ  Ｓｈａｒｅｄ  Ｃｈａｎｎｅｌ）や、ＰＵＣＣＨ（Ｐｈｙｓｉｃａｌ  Ｕｐｌｉｎｋ  Ｃｏｎｔｒｏｌ  Ｃｈａｎｎｅｌ）や、ＰＲＡＣＨ（Ｐｈｙｓｉｃａｌ  Ｒａｎｄｏｍ  Ａｃｃｅｓｓ  Ｃｈａｎｎｅｌ）を送信するように構成されている。
【００３７】
ここで、無線基地局ｅＮＢは、移動局ＵＥに対して、ＰＤＳＣＨにマッピングされているＤＬ-ＳＣＨを介して、下りリンク情報（例えば、下りユーザデータ等）を送信し、移動局ＵＥは、無線基地局ｅＮＢに対して、ＰＵＳＣＨにマッピングされているＵＬ-ＳＣＨを介して、上りリンク情報（例えば、上りユーザデータ等）を送信するように構成されている。
【００３８】
また、無線基地局ｅＮＢは、移動局ＵＥに対して、Ｐ-ＨＩＣＨを介して、上述のＰＵＳＣＨに対するＨＡＲＱの送達確認情報であるＡＣＫ/ＮＡＣＫを送信し、移動局ＵＥは、無線基地局ｅＮＢに対して、ＰＵＣＣＨを介して、上述のＰＤＳＣＨに対するＨＡＲＱの送達確認情報であるＡＣＫ/ＮＡＣＫを送信するように構成されている。
【００３９】
さらに、移動局ＵＥは、無線基地局ｅＮＢに対して、ＰＲＡＣＨにマッピングされているＲＡＣＨを介して、所定情報を送信するように構成されている。
【００４０】
また、移動局ＵＥは、無線基地局ｅＮＢに対して、ＰＵＣＣＨを介して、３ＧＰＰに規定されている「ＣＱＩ（Ｃｈａｎｎｅｌ  Ｑｕａｌｉｔｙ  Ｉｎｄｉｃａｔｏｒ）」を送信するように構成されている。
【００４１】
さらに、移動局ＵＥは、無線基地局ｅＮＢに対して、３ＧＰＰに規定されている「Ｓｃｈｅｄｕｌｉｎｇ  Ｒｅｑｕｅｓｔ」や「ＵＬ  Ｓｏｕｎｄｉｎｇ  Ｒｅｆｅｒｅｎｃｅ  Ｓｉｇｎａｌ」等の制御情報を送信するように構成されている。
【００４２】
図２に示すように、移動局ＵＥは、ＴＡ受信部１１と、同期状態管理部１２と、上り同期タイマ管理部１３と、ＰＵＣＣＨ送信部１４と、ＴＡ-ＡＣＫ送信部１５と、ＲＬＣ-ＡＣＫ送信部１６と、ＤＬ-ＳＣＨ受信部１７と、ＲＡＣＨ送信部１８とを具備している。
【００４３】
ＴＡ受信部１１は、無線基地局ｅＮＢによってＤＬ-ＳＣＨを介して送信されたＭＡＣ-Ｃｏｎｔｒｏｌ-Ｅｌｅｍｅｎｔに含まれているＴＡを受信するように構成されている。
【００４４】
上り同期タイマ管理部１３は、第３所定期間を計測するための上り同期タイマを管理するように構成されている。具体的には、上り同期タイマ管理部１３は、ＴＡ受信部１１によってＴＡが受信される度に、かかる上り同期タイマを再起動するように構成されている。
【００４５】
同期状態管理部１２は、移動局の状態ＵＥが「同期確立状態（第１状態）」或いは「同期外れ状態（第２状態）」のいずれであるかについて管理するように構成されている。
【００４６】
ここで、「同期確立状態」は、移動局ＵＥと無線基地局ｅＮＢとの間で上りリンクにおける同期が確立されており、移動局ＵＥが無線基地局ｅＮＢに対してＲＡＣＨ以外の上りリンクにおける送信、例えば、ＵＬ-ＳＣＨを介した上りリンク情報の送信やＰＵＣＣＨを介したＰＤＳＣＨに対するＨＡＲＱの送達確認情報（ＡＣＫ/ＮＡＣＫ）の送信をすることができる状態である。
【００４７】
一方、「同期外れ状態」は、移動局ＵＥと無線基地局ｅＮＢとの間で上りリンクにおける同期が確立されておらず、移動局ＵＥが無線基地局ｅＮＢに対してＲＡＣＨ以外の上りリンクにおける送信、例えば、ＵＬ-ＳＣＨを介した上りリンク情報の送信やＰＵＣＣＨを介したＰＤＳＣＨに対するＨＡＲＱの送達確認情報（ＡＣＫ/ＮＡＣＫ）の送信をすることができない状態である。
【００４８】
なお、同期状態管理部１２は、移動局ＵＥの状態が「同期確立状態」である場合で、かつ、第３所定期間内に、ＴＡを受信しなかった場合に、かかる移動局ＵＥの状態を「同期外れ状態」に遷移させるように構成されている。
【００４９】
ここで、同期状態管理部１２は、上り同期タイマ管理部１３によって管理されている上り同期タイマが満了した場合に、移動局ＵＥの状態を「同期外れ状態」に遷移させるように構成されていてもよい。
【００５０】
また、同期状態管理部１２は、移動局ＵＥの状態が「同期外れ状態」である場合で、かつ、無線基地局ｅＮＢによって送信されたＴＡを受信した場合に、かかるＴＡに基づいて上りリンクにおける同期を確立することによって、移動局ＵＥの状態を「同期確立状態」に遷移させるように構成されている。
【００５１】
ＰＵＣＣＨ送信部１４は、ＤＬ-ＳＣＨ受信部１６によって受信されたＤＬ-ＳＣＨがマッピングされているＰＤＳＣＨ（物理チャネル）についての受信結果を示す第１送達確認情報（ＡＣＫ/ＮＡＣＫ）を、ＰＵＣＣＨを介して無線基地局ｅＮＢに対して送信するように構成されている。
【００５２】
例えば、ＰＵＣＣＨ送信部１４は、ＴＡが送信されたＰＤＳＣＨ（物理チャネル）についての受信結果を示す第１送達確認情報（ＡＣＫ/ＮＡＣＫ）を、ＰＵＣＣＨを介して無線基地局ｅＮＢに対して送信するように構成されている。
【００５３】
ここで、第１送達確認情報は、ＰＵＣＣＨを介して符号化処理が施されることなく送信されるものであって、無線基地局ｅＮＢにおける受信電力によって、肯定的な受信結果を示す「ＡＣＫ」であるか或いは否定的な受信結果を示す「ＮＡＣＫ」であるかについて判定されるものである。
【００５４】
したがって、一般的に、第１送達確認情報（ＡＣＫ/ＮＡＣＫ）によって示される受信結果の信頼性は、あまり高くないと考えられている。
【００５５】
ＴＡ-ＡＣＫ送信部１５は、各ＴＡについての受信結果を示す第２送達確認情報（ＴＡ-ＡＣＫ）を、ＵＬ-ＳＣＨを介して無線基地局ｅＮＢに対して送信するように構成されている。
【００５６】
ここで、第２送達確認情報（ＴＡ-ＡＣＫ）は、第１送達確認情報（ＡＣＫ/ＮＡＣＫ）とは異なり、ＵＬ-ＳＣＨを介して符号化処理（例えば、ＣＲＣ等の誤り訂正符号化処理）が施されて送信されるものであって、第２送達確認情報（ＴＡ-ＡＣＫ）によって示される受信結果の信頼性は、第１送達確認情報（ＡＣＫ/ＮＡＣＫ）によって示される受信結果の信頼性より高い。
【００５７】
さらに、ＵＬ‐ＳＣＨを介して送信される第２送達確認情報（ＴＡ‐ＡＣＫ）には、誤り検出符号（ＣＲＣ）が付与されるため、移動局ＵＥにてＴＡの受信/復号に成功していない場合に、無線基地局ｅＮＢが、移動局ＵＥにてＴＡの受信/復号に成功していると誤って判定する可能性が極めて低い。
【００５８】
なお、第２送達確認情報（ＴＡ-ＡＣＫ）は、各ＴＡについての受信結果を示す点で、複数のＲＬＣ-ＰＤＵについての受信結果を示すＲＬＣ-ＡＣＫ（後述）とは異なる。
【００５９】
ここで、ＰＵＣＣＨ送信部１４及びＴＡ-ＡＣＫ送信部１５は、無線基地局ｅＮＢから、ＴＡを受信した場合に、かかる無線基地局ｅＮＢに対して、第１送達確認情報（ＡＣＫ/ＮＡＣＫ）と第２送達確認情報（ＴＡ-ＡＣＫ）とを送信するように構成されている。
【００６０】
ＤＬ-ＳＣＨ受信部１６は、ＤＬ-ＳＣＨを介して、下りリンク情報（例えば、下りユーザデータ等）を受信するように構成されている。
【００６１】
ＲＬＣ-ＡＣＫ送信部１７は、ＤＬ-ＳＣＨを介して送信された下りリンク情報（例えば、下りユーザデータ等）を含むＲＬＣ-ＰＤＵについての受信結果を示すＲＬＣ-ＡＣＫを送信するように構成されている。
【００６２】
ここで、ＲＬＣ-ＡＣＫは、ＲＬＣ（Ｒａｄｉｏ  Ｌｉｎｋ  Ｃｏｎｔｒｏｌ）層における送達確認情報（ＳＴＡＴＵＳ-Ｒｅｐｏｒｔ）であり、複数のＲＬＣ-ＰＤＵについての受信結果をまとめて報告することができる。
【００６３】
ＲＡＣＨ送信部１８は、無線基地局ｅＮＢに対して、ＲＡＣＨを介して、所定情報を送信するように構成されている。
【００６４】
具体的には、ＲＡＣＨ送信部１５は、移動局ＵＥの状態が「同期外れ状態」である場合には、無線基地局ｅＮＢに対して送信すべき上りユーザデータが発生するまで、或いは、無線基地局ｅＮＢによって送信されたＲＡＣＨ送信要求を受信するまでは、無線基地局ｅＮＢに対して、ＲＡＣＨを介して所定情報を送信することができないように構成されている。
【００６５】
ただし、ＲＡＣＨ送信部１５は、移動局ＵＥの状態が「同期外れ状態」である場合であっても、ＤＬ-ＳＣＨを介して移動局ＵＥ宛ての下りリンク情報（例えば、下りユーザデータ等）を受信した場合には、無線基地局ｅＮＢに対して、ＲＡＣＨを介して所定情報を送信することができるように構成されていてもよい。
【００６６】
図３に示すように、無線基地局ｅＮＢは、ＲＡＣＨ受信部２１と、タイマ管理部２２と、ＴＡ送信部２３と、ＰＵＣＣＣＨ受信部２４と、ＴＡ-ＡＣＫ受信部２５と、ＲＬＣ-ＡＣＫ受信部２６とを具備している。
【００６７】
ＲＡＣＨ受信部２１は、移動局ＵＥによってＲＡＣＨを介して送信された送信された所定情報を受信するように構成されている。
【００６８】
タイマ管理部２２は、第１所定期間及び第２所定期間を計測するためのタイマを管理するように構成されている。
【００６９】
具体的には、タイマ管理部２２は、送信したＴＡに対して、肯定的な第１送達確認情報（ＡＣＫ）及び肯定的な第２送達確認情報（ＴＡ-ＡＣＫ）の両方を受信した場合に、かかるタイマを停止するように構成されている。
【００７０】
ＰＵＣＣＨ受信部２４は、移動局ＵＥから、ＰＵＣＣＨを介して、ＴＡが送信されたＰＤＳＣＨについての受信結果を示す第１送達確認情報（ＡＣＫ/ＮＡＣＫ）を受信するように構成されている。
【００７１】
ＴＡ-ＡＣＫ受信部２５は、移動局ＵＥから、ＵＬ-ＳＣＨを介して、各ＴＡについての受信結果を示す第２送達確認情報（ＴＡ-ＡＣＫ）を受信するように構成されている。
【００７２】
ＲＬＣ-ＡＣＫ受信部２６は、移動局ＵＥから、１つ又は複数のＲＬＣ-ＰＤＵについての受信結果を示すＲＬＣ-ＡＣＫ（ＳＴＡＴＵＳ-Ｒｅｐｏｒｔ）を受信するように構成されている。
【００７３】
ＴＡ送信部２３は、ＲＡＣＨ受信部２１やＰＵＣＣＨ受信部２４によって受信された所定情報に応じて、上りリンクにおける所定信号に対する測定を行い、かかる所定信号に対する測定結果に基づいて、ＴＡを生成し、移動局ＵＥに対して、ＰＤＳＣＨ（物理チャネル）を介して、かかるＴＡを送信するように構成されている。
【００７４】
また、ＴＡ送信部２３は、移動局ＵＥに対してＴＡを送信した後、第１所定期間内に、当該移動局ＵＥから、当該ＰＤＳＣＨについての肯定的な受信結果を示す第１送達確認情報（ＡＣＫ）を受信できなかった場合には、当該移動局ＵＥに対して、当該ＴＡをＨＡＲＱ再送するように構成されており、当該移動局ＵＥに対して当該ＴＡを送信した後、第２所定期間内に、当該移動局ＵＥから、当該ＴＡについての肯定的な受信結果を示す第２送達確認情報（ＴＡ-ＡＣＫ）を受信できなかった場合には、当該移動局ＵＥに対して、当該ＴＡを再送するように構成されている。
【００７５】
（本発明の第１の実施形態に係る移動通信システムの動作）
図４を参照して、本発明の第１の実施形態に係る移動通信システムにおける無線基地局ｅＮＢの動作について説明する。
【００７６】
図４に示すように、ステップＳ２０１において、無線基地局ｅＮＢは、所定タイミングで、移動局ＵＥに対して、ＴＡを送信する。
【００７７】
ステップＳ２０２において、無線基地局ｅＮＢは、ＨＡＲＱ方式に従って決定されるタイミングで、移動局ＵＥからＰＵＣＣＨを介して送信される第１送達確認情報の受信を試みる。
【００７８】
ここで、無線基地局ｅＮＢは、ステップＳ２０２において、ＰＵＣＣＨを介して、肯定的な第１送達確認情報（ＡＣＫ）を受信した場合、ステップＳ２０３において、移動局ＵＥからＵＬ-ＳＣＨを介して送信される第２送達確認情報（ＴＡ-ＡＣＫ）の受信を試みる。
【００７９】
一方、無線基地局ｅＮＢは、ステップＳ２０２において、ＰＵＣＣＨを介して、否定的な第１送達確認情報（ＮＡＣＫ）を受信した場合、或いは、上述のタイミングで第１送達確認情報自身を受信しなかった場合（ＤＴＸ）、ステップＳ２０４Ａにおいて、かかるＴＡをＨＡＲＱ再送する。
【００８０】
ここで、無線基地局ｅＮＢは、ステップＳ２０３において、ＵＬ-ＳＣＨを介して、肯定的な第２送達確認情報（ＴＡ-ＡＣＫ）を受信した場合、本動作は、終了する。
【００８１】
一方、無線基地局ｅＮＢは、ステップＳ２０３において、第２所定期間内に、ＵＬ-ＳＣＨを介して、肯定的な第２送達確認情報（ＴＡ-ＡＣＫ）を受信しなかった場合、ステップＳ２０４Ｂにおいて、かかるＴＡを再送する。
【００８２】
（本発明の第１の実施形態に係る移動通信システムの作用・効果）
本実施形態に係る移動通信システムによれば、移動局ＵＥが、無線基地局ｅＮＢに対して、ＰＵＣＣＨを介して、第１送達確認情報を送信するだけでなく、ＵＬ-ＳＣＨを介して、より信頼性の高い第２送達確認情報（ＴＡ-ＡＣＫ）を送信するように構成されているため、無線基地局ｅＮＢの意図に反して、移動局ＵＥが「同期外れ状態」に遷移する確率を減らすことができ、ＤＬ-ＳＣＨを介した下りリンク情報の再送を削減することができ、下りリンクにおける無線リソースの浪費を最低限にすることができる。
【００８３】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８４】
ここで、ソフトウェアモジュールは、例えば、レイヤ構造で階層化されたプロトコルスタックであってもよい。また、プロセッサは、例えば、チップセットとしてハードウェア化されたもので、プロトコルスタックを実行するものであってもよい。
【００８５】
また、ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００８７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８８】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る無線基地局の動作を示すフローチャートである。
【図５】従来の移動局の動作を示すフローチャートである。
【図６】従来の移動通信システムの動作を説明するための図である。
【符号の説明】
【００８９】
ｅＮＢ…無線基地局
２１…ＲＡＣＨ受信部
２２…タイマ管理部
２３…ＴＡ送信部
２４…ＰＵＣＣＨ受信部
２５…ＴＡ-ＡＣＫ受信部
２６…ＲＬＣ-ＡＣＫ受信部
ＵＥ…移動局
１１…ＴＡ受信部
１２…同期状態管理部
１３…上り同期タイマ管理部
１４…ＰＵＣＣＨ送信部
１５…ＴＡ-ＡＣＫ送信部
１６…ＤＬ-ＳＣＨ受信部
１７…ＲＬＣ-ＡＣＫ送信部
１８…ＲＡＣＨ送信部
【図１】
2009164842.tif 000003
【図２】
2009164842.tif 000004
【図３】
2009164842.tif 000005
【図４】
2009164842.tif 000006
【図５】
2009164842.tif 000007
【図６】
2009164842.tif 000008